(57)【要約】      （修正有）【課題】出汁取り袋が破損した際に、その破損片を容易に発見することができる出汁取り袋を提供する。【解決手段】通水性、通気性を有する布で構成された袋部２を有し、袋部２は、開口部３を有するとともに、青色に着色する。また、袋部２の開口部３近傍における外側面２ａに青色に着色した締め部材１２を、開口端に沿って配置し、締め部材１２の両端部１２ａ，１２ｂは、袋部２に固着するとともに、両端部１２ａ，１２ｂ以外は、袋部２に固着せず、締め部材１２の途中に、締め部材１２の切断を容易にするための、誘導部１５を設ける。【選択図】図２
0003213865.tif 000002
【実用新案登録請求の範囲】
【請求項１】
通水性、通気性を有する布で構成された袋部を有し、
該袋部は、開口部を有するとともに、青色に着色されていることを特徴とする出汁取り袋。
【請求項２】
前記袋部の開口部近傍における外側面に青色に着色した締め部材を、開口端に沿って配置し、
該締め部材の両端部は、前記袋部に固着するとともに、両端部以外は、前記袋部に固着せず、
前記締め部材の途中に、締め部材の切断を容易にするための、誘導部を設けたことを特徴とする請求項１記載の出汁取り袋。
【請求項３】
前記袋部を、ポリプロピレン製の不織布で形成したことを特徴とする請求項１又は２記載の出汁取り袋。
【考案の詳細な説明】
【技術分野】
【０００１】
本考案は、出汁取り袋に関する。
【背景技術】
【０００２】
従来、調理時において、出汁の材料を袋内に収納し、この袋を鍋などに入れて出汁をとり、出汁を取った後の材料を、袋とともに容易に取り出すことできる出汁取り袋が提案されている。
【考案の概要】
【考案が解決しようとする課題】
【０００３】
しかし、出汁取り袋は、白色の布で構成されているために、出汁取り作業の際に、出汁取り袋が破損等して出汁内に混入しても、その破損片が出汁と区別がつき難いという問題があった。
【０００４】
近年、食品業界において、食品への異物混入の対策が進められており、出汁取り袋に関しても、異物混入の防止が望まれるようになってきた。
【０００５】
そこで本考案は、出汁取り袋が破損した際にも容易に発見することができる出汁取り袋を提供することを目的とするものである。  
【課題を解決するための手段】
【０００６】
前記の課題を解決するために、請求項１記載の考案は、通水性、通気性を有する布で構成された袋部を有し、
該袋部は、開口部を有するとともに、青色に着色されていることを特徴とするものである。
【０００７】
請求項２記載の考案は、請求項１記載の考案において、前記袋部の開口部近傍における外側面に青色に着色した締め部材を、開口端に沿って配置し、
該締め部材の両端部は、前記袋部に固着するとともに、両端部以外は、前記袋部に固着せず、
前記締め部材の途中に、締め部材の切断を容易にするための、誘導部を設けたことを特徴とするものである。
【０００８】
請求項３記載の考案は、請求項１又は２記載の考案において、前記袋部を、ポリプロピレン製の不織布で形成したことを特徴とするものである。
【考案の効果】
【０００９】
本考案によれば、袋部を、食材では有することが少ないとともに、食欲を減退させることが多い青色に着色したことにより、袋部が破損して、その破損片が、出汁や調理品等に混入した場合に、その破損片を容易に発見することができ、出汁取り袋の一部が異物として混入することを防止できる。
【図面の簡単な説明】
【００１０】
【図１】本考案の実施例１を示す斜視図。
【図２】本考案の実施例２を示す斜視図。
【図３】図２のＡ−Ａ線断面図。
【図４】図２のＢ−Ｂ線断面図。
【図５】図２の状態から、締め部材を誘導部で切断した状態の正面図。
【図６】図５の締め部材を巻き付けた状態の斜視図。
【図７】図６の状態から締め部材を締め終えた状態の斜視図。
【考案を実施するための形態】
【００１１】
本考案を実施するための形態を図に示す実施例に基づいて説明する。
【００１２】
［実施例１］
図１は、本考案の実施例１に係る出汁取り袋１の斜視図である。
【００１３】
出汁取り袋１は、通水性、通気性を有する布で構成された袋部２を有する。袋部２を構成する布は、通水性、通気性を有すれば任意の布を用いることができ、本実施例では、ポリプロピレン製の不織布を用いた。
【００１４】
袋部２は、開口部３を有し、この開口部３以外は閉塞されていれば任意の形状に形成することができる。本実施例においては、袋部２を、一枚の布５を半折りに折曲げて、その両側部を溶着して閉塞し、図１の上部端側に開口部３を形成するとともに、開口部３以外を閉塞するように形成した。
【００１５】
袋部２は、食材では有することが少ないとともに、食欲を減退させることが多い青色に着色されている。
【００１６】
上記の構成により、出汁取り袋１の使用時は、開口部３から袋部２内に、出汁の材料を入れた後に、開口部３を、紐などにより縛り、開口部３を閉じた後に、出汁取り袋１を鍋などにいれて、出汁をとる。この際、袋部２は、ポリプロピレン製の不織布で構成されているために、出汁の材料からでる脂分が、袋部で吸着される。
【００１７】
また、袋部２を、食材では有することが少ないとともに、食欲を減退させることが多い青色に着色したことにより、出汁取り作業中において、出汁取り袋１を出汁や食材などと区別して認識しやすいと共に、出汁取り袋１の一部が破損して出汁などに混入した場合においても、その破損片を容易に発見することができる。
【００１８】
［実施例２］
本実施例２の出汁取り袋１１は、上記実施例１の袋部２の開口部３近傍における外側面２ａに、その開口端に沿って締め部材１２を配置したものである。
【００１９】
締め部材１２は、通水性、通気性を有すれる布で構成され、本実施例２では、ポリプロピレン製の不織布で構成した。また、締め部材１２は、食材では有することが少ないとともに、食欲を減退させることが多い青色に着色されている。
【００２０】
締め部材１２の形状は任意に構成することができるが、本実施例２では、図２に示すように、長尺の帯状に形成した。
【００２１】
締め部材１２における長手方向の両端部１２ａ，１２ｂは、図２，図３に示すように、袋部２の外側面２ａに溶着により固着されている。また、締め部材１２の両端部１２ａ，１２ｂ以外は、袋部２に対して、固着されていない。
【００２２】
また、締め部材１２における両端部１２ａ，１２ｂの一方の若干内側部には、締め部材１２の長手方向（軸方向）と直交する方向に、ミシン目からなる切断を容易にするための切れ目となる誘導部１５が形成されている。
【００２３】
次に、調理時における出汁取り袋１１の使用方法を説明する。
【００２４】
先ず、開口部３から出汁取り袋１１の袋部２内に、出汁の材料を入れる。
【００２５】
次に、図５に示すように、締め部材１２を、誘導部１５のミシン目で切断して、一端部１２ｂが袋部２に固着されているとともに、他端部が自由端１２ｃとなった締め部材１２Ａを得る。
【００２６】
次に、図６に示すように、開口部３側の袋部２を絞って、この袋部２の絞った部分に、締め部材１２Ａを巻き付けた後に、図７に示すように、締め部材１２Ａの自由端１２ｃを、袋部２に巻き付けた締め部材１２Ａの部分１２ｄと袋部２との間に通す。
【００２７】
次に、図７に示すように、自由端１２ｃを引っ張って、締め部材１２Ａを袋部２に縛って締め付けて袋部２の開口部３を閉じる。
【００２８】
そして、この状態で、出汁取り袋１１を鍋などに入れて出汁をとる。
【００２９】
上記構成以外は、前記実施例１と同様であるために、同一部分には前記実施例１と同様の符号を付し、その説明を省略する。
【００３０】
また、本実施例２においても、前記実施例１と同様の作用、効果を奏する。
【００３１】
また、締め部材１２も、袋部２と同様に、食欲を減退させることが多い青色に着色したことにより、出汁取り作業中等において、締め部材１２の一部が破損して出汁などに混入した場合においても容易に発見することができる。
【符号の説明】
【００３２】
１，１１  出汁取り袋
２  袋部
３  開口部
１２  締め部材
１５  誘導部
【図１】
0003213865.tif 000003
【図２】
0003213865.tif 000004
【図３】
0003213865.tif 000005
【図４】
0003213865.tif 000006
【図５】
0003213865.tif 000007
【図６】
0003213865.tif 000008
【図７】
0003213865.tif 000009